Podtech/llm-jp-corpus-v4-ja_patent huggingface dataset:
【手続補正書】
【提出日】平成29年2月2日(2017.2.2)
【手続補正１】
【補正対象書類名】特許請求の範囲
【補正対象項目名】全文
【補正方法】変更
【補正の内容】
【特許請求の範囲】
【請求項１】
新たなコンテキストアウェアネスサービスが始まる場合に1つまたは複数のハードウェアサブシステムの動作を修正するための方法であって、
前記新たなコンテキストアウェアネスサービスを含む複数の動作するコンテキストアウェアネスサービスのための電力バジェットを決定するステップであって、前記電力バジェットは、前記複数のコンテキストアウェアネスサービスの各々のための電力要件に基づき、前記複数のコンテキストアウェアネスサービスの各々のための前記電力要件は、前記複数のコンテキストアウェアネスサービスに対応する前記1つまたは複数のハードウェアサブシステムの電力利用に基づく、決定するステップと、
電力リソースを、前記複数のコンテキストアウェアネスサービスおよび/または前記1つまたは複数のハードウェアサブシステムの重要度に基づいて、前記1つまたは複数のハードウェアサブシステムへ割り当てるステップであって、前記電力リソースの割当ては、前記電力バジェット内で実行される、割り当てるステップと
ハードウェアサブシステムを使用する前記複数のコンテキストアウェアネスサービスの数を決定するステップと、
より大きい数の前記複数のコンテキストアウェアネスサービスによって使用されるハードウェアサブシステムに、より高い重要度を割り当てるステップ
を備える方法。
【請求項２】
前記電力リソースを前記1つまたは複数のハードウェアサブシステムへ割り当てることが、前記複数のコンテキストアウェアネスサービスの各々に要求される精度に基づき、
選択的に、前記コンテキストアウェアネスサービスの前記精度は、前記ハードウェアサブシステムの電力利用に依存する、請求項1に記載の方法。
【請求項３】
前記1つまたは複数のハードウェアサブシステムのうちの少なくとも1つは、複数のセンサを備える、請求項1に記載の方法。
【請求項４】
コンテキストアウェアネスサービスは、複数のハードウェアサブシステムに関連付けられている、請求項1に記載の方法。
【請求項５】
前記複数のコンテキストアウェアネスサービスは、ジオフェンシングサービス、動き分類サービス、スピーチ検出サービス、ミーティング中検出サービス、位置クラスタリングサービス、または音響クラスタリングサービスのうちの1つまたは複数である、および/または
前記1つまたは複数のハードウェアサブシステムは、動きセンササブシステム、ワイヤレスネットワークアクセスサブシステム、GPSサブシステム、音響サブシステム、短距離ワイヤレス通信サブシステム、またはカメラサブシステムのうちの1つまたは複数である、請求項1に記載の方法。
【請求項６】
前記電力バジェットを前記決定するステップは、電力管理プロファイルのユーザ選択に基づく、または、
前記電力バジェットを前記決定するステップは、前記1つまたは複数のハードウェアサブシステムを備えるデバイスのバッテリレベルに基づく、請求項1に記載の方法。
【請求項７】
前記複数のコンテキストアウェアネスサービスのうちの少なくとも1つの累積的な性能基準値を決定するステップ
をさらに備える、請求項1に記載の方法。
【請求項８】
前記累積的な性能基準値のうちの少なくとも1つは、分類器または検出器サービスの精度である、請求項7に記載の方法。
【請求項９】
前記累積的な性能基準値がしきい値を下回るのであれば、前記電力リソースの割当てを、前記電力バジェット内で増加させるステップ
をさらに備える、請求項7に記載の方法。
【請求項１０】
前記累積的な性能基準値は、各コンテキストアウェアネスサービスの性能/電力トレードオフの関数である、請求項7に記載の方法。
【請求項１１】
前記複数のコンテキストアウェアネスサービスの動作を修正する際にルックアップテーブルが使用される、請求項1に記載の方法。
【請求項１２】
複数のアプリケーションは、前記複数のコンテキストアウェアネスサービスのうちの1つまたは複数を利用し、
選択的に、前記方法は、前記電力バジェット内で前記複数のサービスのうちの共有された1つへ、追加の電力リソースを割り当てるステップを備える、請求項1に記載の方法。
【請求項１３】
前記複数のコンテキストアウェアネスサービスのうちの少なくとも1つが、1つまたは複数の共有されたハードウェアサブシステムを共有し、
選択的に、前記方法は、前記電力バジェット内で、前記1つまたは複数のハードウェアサブシステムのうちの共有された1つへ、追加の電力リソースを割り当てるステップを備える、請求項1に記載の方法。
【請求項１４】
新たなコンテキストアウェアネスサービスが始まる場合に1つまたは複数のハードウェアサブシステムの動作を修正するための装置であって、
前記新たなコンテキストアウェアネスサービスを含む複数の動作するコンテキストアウェアネスサービスのための電力バジェットを決定するための手段であって、前記電力バジェットは、前記複数のコンテキストアウェアネスサービスの各々のための電力要件に基づき、前記複数のコンテキストアウェアネスサービスの各々のための前記電力要件は、前記複数のコンテキストアウェアネスサービスに対応する前記1つまたは複数のハードウェアサブシステムの電力利用に基づく、決定するための手段と、
前記複数のコンテキストアウェアネスサービスおよび/または前記1つまたは複数のハードウェアサブシステムの重要度を決定するための手段であって、
前記1つまたは複数のハードウェアサブシステムに対して、ハードウェアサブシステムを使用する前記複数のコンテキストアウェアネスサービスの数を決定するための手段と、
より大きい数の前記複数のコンテキストアウェアネスサービスによって使用されるハードウェアサブシステムに、より高い重要度を割り当てるための手段とを含む、手段と、
電力リソースを、前記複数のコンテキストアウェアネスサービスおよび/または前記1つまたは複数のハードウェアサブシステムの重要度に基づいて、前記1つまたは複数のハードウェアサブシステムへ割り当てるための手段であって、前記電力リソースの割当ては、前記電力バジェット内で実行される、手段と
を備える装置。
【請求項１５】
新たなコンテキストアウェアネスサービスが始まる場合に1つまたは複数のハードウェアサブシステムの動作を修正するためのプログラムコードを備えた非一時的コンピュータ可読記録媒体であって、前記プログラムコードは、請求項1から13のいずれか一項に記載の方法を実行するための少なくとも1つの命令を備える、非一時的コンピュータ可読記録媒体。
【手続補正書】
【提出日】平成29年2月14日(2017.2.14)
【手続補正１】
【補正対象書類名】特許請求の範囲
【補正対象項目名】全文
【補正方法】変更
【補正の内容】
【特許請求の範囲】
【請求項１】
ユーザ入力に基づいてアイコンを表示する方法であって、
ユーザ入力をコンピューティングデバイスで受け取るステップと、
前記ユーザ入力に基づいて前記アイコンを生成するステップであって、前記アイコンの形状は、前記ユーザ入力の第1のモジュラス除算チェックサム関数に基づき、前記アイコンの色は、前記ユーザ入力の第2のモジュラス除算チェックサム関数に基づいて、単一のアイコンが生成されるようにするステップと、
前記単一のアイコンをユーザに表示デバイスで表示するステップと
を含む方法。
【請求項２】
前記ユーザ入力は、パスワードの各キャラクタが前記ユーザにより入力される時に、前記表示デバイスで前記ユーザから隠される前記パスワードである、請求項1に記載の方法。
【請求項３】
前記ユーザ入力は、前記ユーザ入力の各キャラクタが前記ユーザにより入力される時に、前記表示デバイスで前記ユーザに表示されるクレジットカード番号、デビット番号、または照会番号のうちの少なくとも1つである、請求項1に記載の方法。
【請求項４】
前記アイコンは、前記ユーザ入力の各キャラクタが前記ユーザにより入力される時に、前記チェックサム関数に基づいて継続的に生成され、前記表示デバイスで表示される、請求項1に記載の方法。
【請求項５】
いったん前記ユーザ入力が完了すると、前記ユーザは、前記表示デバイスに表示された前記単一のアイコンに基づいて、前記ユーザ入力が正しいかどうかを識別することができる、請求項4に記載の方法。
【請求項６】
前記アイコンは、前記ユーザに対して前記チェックサム関数に基づいて事前定義されている、請求項1に記載の方法。
【請求項７】
ユーザ入力を受け取るための手段と、
前記ユーザ入力に基づいてアイコンを生成するための手段であって、前記アイコンの形状は、前記ユーザ入力の第1のモジュラス除算チェックサム関数に基づき、前記アイコンの色は、前記ユーザ入力の第2のモジュラス除算チェックサム関数に基づいて、単一のアイコンが生成されるようにする手段と、
前記単一のアイコンをユーザに表示するための手段と
を備えるコンピューティングデバイス。
【請求項８】
前記ユーザ入力は、パスワードの各キャラクタが前記ユーザにより入力される時に、前記ユーザから隠される前記パスワードである、請求項7に記載のコンピューティングデバイス。
【請求項９】
前記ユーザ入力は、前記ユーザ入力の各キャラクタが前記ユーザにより入力される時に、前記ユーザに表示されるクレジットカード番号、デビット番号、または照会番号のうちの少なくとも1つである、請求項7に記載のコンピューティングデバイス。
【請求項１０】
前記アイコンは、前記ユーザ入力の各キャラクタが前記ユーザにより入力される時に、前記チェックサム関数に基づいて継続的に生成され、表示される、請求項7に記載のコンピューティングデバイス。
【請求項１１】
いったん前記ユーザ入力が完了すると、前記ユーザは、表示された前記単一のアイコンに基づいて、前記ユーザ入力が正しいかどうかを識別することができる、請求項10に記載のコンピューティングデバイス。
【請求項１２】
前記アイコンは、前記ユーザに対して前記チェックサム関数に基づいて事前定義されている、請求項7に記載のコンピューティングデバイス。
【請求項１３】
サーバコンピュータであって、
受け取ったユーザ入力に基づいてアイコンを生成することであって、前記アイコンの形状は、前記ユーザ入力の第1のモジュラス除算チェックサム関数に基づき、前記アイコンの色は、前記ユーザ入力の第2のモジュラス除算チェックサム関数に基づいて、単一のアイコンが生成されるようにすることと、
前記単一のアイコンをコンピューティングデバイスへ表示のために送信することと
を含む動作を実行するためのアイコン生成器
を備えるサーバコンピュータ。
【請求項１４】
コンピューティングデバイスにおいて実行されるコンピュータプログラムであって、
ユーザ入力を受け取ることと、
前記ユーザ入力に基づいてアイコンを生成することであって、前記アイコンの形状は、前記ユーザ入力の第1のモジュラス除算チェックサム関数に基づき、前記アイコンの色は、前記ユーザ入力の第2のモジュラス除算チェックサム関数に基づいて、単一のアイコンが生成されるようにすることと、
前記単一のアイコンをユーザに表示デバイスで表示することと
のためのコードを含むコンピュータプログラム。
【請求項１５】
サーバコンピュータにおいて実行されるコンピュータプログラムであって、
受け取ったユーザ入力に基づいてアイコンを生成することであって、前記アイコンの形状は、前記ユーザ入力の第1のモジュラス除算チェックサム関数に基づき、前記アイコンの色は、前記ユーザ入力の第2のモジュラス除算チェックサム関数に基づいて、単一のアイコンが生成されるようにすることと、
前記単一のアイコンをコンピューティングデバイスへ表示のために送信することと
のためのコードを含むコンピュータプログラム。
【手続補正書】
【提出日】平成28年12月26日(2016.12.26)
【手続補正１】
【補正対象書類名】特許請求の範囲
【補正対象項目名】全文
【補正方法】変更
【補正の内容】
【特許請求の範囲】
【請求項１】
サーバコンピューティング機器を操作する方法であって、
機能の第１のバージョンをサポートする編集済み文書に行われた修正を、前記機能の第２のバージョンをサポートするマスター文書とマージする要求をクライアントコンピューティング機器から受け取る工程であって、前記機能の前記第２のバージョンは前記クライアントコンピューティング機器ではサポートされない、工程と、
前記文書と前記マスター文書との間の機能に関連しない差分を判定する工程と、
前記判定された差分を使用して、前記文書に行われた修正を前記マスター文書にマージすることにより前記マスター文書を更新する工程と
を含み、
前記修正の要求が、前記マスター文書の前記場所の識別子で識別される場所に、ハイライト、コメントの付加、またはコンテンツの追加、削除、もしくは置き換えなどの１つまたは複数の特定の修正を行うことを求める要求を含む、方法。
【請求項２】
前記修正の要求と、段落識別子、行識別子、文字識別子、および部分識別子の少なくとも１つなどの場所の識別子とを受け取る工程をさらに含む、請求項１に記載の方法。
【請求項３】
前記修正を有する前記文書を受け取る工程をさらに含む、請求項１に記載の方法。
【請求項４】
サーバコンピューティング機器であって、
エディタに適した第１の形式をサポートする編集済み文書に行われた修正を、前記第１の形式と異なる第２の形式をサポートするマスター文書にマージする要求をクライアントコンピューティング機器から受け取り、
前記文書の前記第１の形式を前記マスター文書の前記第２の形式に変換し、
前記文書と前記マスター文書との間の形式に関連しない差分を判定し、
前記差分をマージして前記マスター文書を更新し、
前記修正の要求が、前記マスター文書の前記場所の識別子で識別される場所に、ハイライト、コメントの付加、またはコンテンツの追加、削除、もしくは置き換えなどの１つまたは複数の特定の修正を行うことを求める要求を含む、
ように構成されたサーバコンピューティング機器。
【請求項５】
前記修正の要求と、段落識別子、行識別子、文字識別子、および部分識別子などの場所の識別子とを受け取るようにさらに構成された、請求項４に記載のサーバコンピューティング機器。
【請求項６】
前記修正を有する前記文書を受け取るようにさらに構成される、請求項４に記載のサーバコンピューティング機器。
【請求項７】
コンピューティング機器によって実行されると、
機能の第１のバージョンをサポートする編集済み文書に行われた修正を、前記機能の第２のバージョンをサポートするマスター文書とマージする要求を受け取るのに応答して、前記機能の前記第１のバージョンをサポートする前記編集済み文書に行われた修正を判定し、前記修正を、前記機能の前記第２のバージョンをサポートする前記マスター文書にマージする工程であって、前記文書と前記マスター文書との間の機能に関連しない差分が判定され、前記判定された差分が使用されて前記マスター文書を更新する、工程と、
第１の形式をサポートする編集済み文書に行われた修正を、前記第１の形式と異なる第２の形式をサポートするマスター文書とマージする要求を受け取るのに応答して、前記第１の形式をサポートする前記編集済み文書に行われた修正を判定し、前記修正を、前記第２の形式をサポートする前記マスター文書にマージする工程であって、前記文書の前記第１の形式が前記マスター文書の前記第２の形式に変換され、前記変換後の文書と前記マスター文書との間の形式に関連しない差分が判定され、その差分がマージされて前記マスター文書を更新する、工程と
を含み、
前記修正の要求が、前記マスター文書の前記場所の識別子で識別される場所に、ハイライト、コメントの付加、またはコンテンツの追加、削除、もしくは置き換えなどの１つまたは複数の特定の修正を行うことを求める要求を含む、
方法を行う命令が記憶されているコンピュータ読取り可能記憶媒体。
【請求項８】
前記修正をマージする要求が、前記マスター文書の特定の編集を求める要求を含む、請求項７に記載の媒体。
【手続補正書】
【提出日】平成29年2月2日(2017.2.2)
【手続補正１】
【補正対象書類名】特許請求の範囲
【補正対象項目名】全文
【補正方法】変更
【補正の内容】
【特許請求の範囲】
【請求項１】
コンピューティングデバイスによる実行に応答して、前記コンピューティングデバイスに、
操作の状態を確認するステップと、
前記操作について完了した作業単位の数、前記操作の状態及び前記操作について完了した前記数の作業単位に適用される重み付け関数に基づいて、前記操作のための残り時間を推定するステップと、
前記操作のための前記推定された残り時間に基づいて、前記操作についての時間推定インジケーターを更新するステップと
を含む動作を実行させる命令が格納される１つ又は複数のコンピューター読み取り可能な記憶媒体。
【請求項２】
前記操作の状態は、
前記操作の開始における開始状態、
前記操作に影響を及ぼす１つ又は複数のイベントに基づいて生じる警告状態、又は
前記開始状態の後、警告イベントを経験することなく、前記操作が特定の期間の間進行しているときに生じる通常の状態
のうちの少なくとも１つを含む請求項１に記載の１つ又は複数のコンピューター読み取り可能な記憶媒体。
【請求項３】
前記推定するステップは、
前記操作の状態に基づいて、計算間隔及び速度パラメーターを取得するステップと、
速度間隔にわたって前記操作についての１つ又は複数の速度測定値を計算するステップと、
前記速度パラメーターを前記１つ又は複数の速度測定値に適用して、パラメーター化された速度測定値を得るステップと、
前記パラメーター化された速度測定値及び前記操作のための残りの作業単位の量に基づいて、前記残り時間を推定するステップと
を含む請求項１に記載の１つ又は複数のコンピューター読み取り可能な記憶媒体。
【請求項４】
前記操作の状態は、前記操作が停止された後の再開状態を含み、前記更新するステップは、前記操作のための前記残り時間が再計算されているという視覚的表示を提供するステップを含む請求項１に記載の１つ又は複数のコンピューター読み取り可能な記憶媒体。
【請求項５】
前記操作の状態は、異なる操作が開始されること、異なる操作が完了されること、異なる操作が停止されること、又は異なる操作が再開されることのうちの少なくとも１つに応答して生じる警告状態を含む請求項１に記載の１つ又は複数のコンピューター読み取り可能な記憶媒体。
【請求項６】
デバイスであって、
少なくとも１つのプロセッサーと、
前記少なくとも１つのプロセッサーによる実行に応答して、前記デバイスに、
速度間隔にわたって操作の速度測定値を計算するステップと、
パラメーター化された速度測定値を得るために速度パラメーターを前記速度測定値に適用するステップであって、前記速度パラメーターは前記操作の状態に少なくとも部分的に基づき、前記速度パラメーターは前記速度測定値に適用される重み付け関数を含む、ステップと、
前記パラメーター化された速度測定値及び前記操作のための残りの作業単位の量に基づいて、前記操作のための残り時間を推定するステップと
を含む動作を実行させる命令が格納される１つ又は複数のコンピューター読み取り可能な記憶媒体と
を備えるデバイス。
【請求項７】
前記速度間隔は、前記操作の状態に基づいて決定される前記操作中の指定された時間間隔を含む請求項６に記載のデバイス。
【請求項８】
前記適用するステップは前記重み付け関数が適用された後に前記速度測定値を平均化するステップを含む請求項６に記載のデバイス。
【請求項９】
前記操作の状態は、
前記操作の開始における開始状態、
前記操作に影響を及ぼす１つ又は複数のイベントに基づいて生じる警告状態、又は
前記開始状態の後、警告イベントを経験することなく、前記操作が特定の期間の間進行しているときに生じる通常の状態
のうちの少なくとも１つを含む請求項６に記載のデバイス。
【請求項１０】
前記操作の状態は、異なる操作が開始されること、異なる操作が完了されること、異なる操作が停止されること、又は異なる操作が再開されることのうちの少なくとも１つに応答して生じる警告状態を含む請求項６に記載のデバイス。
【請求項１１】
前記動作は、前記操作についての残り時間インジケーターを前記残り時間によって更新するステップをさらに含む請求項６に記載のデバイス。
【請求項１２】
操作の進捗についての視覚的なしるしを含むグラフィカルユーザーインターフェイスを出力するステップと、
前記操作の状態の表示を受け取るステップと、
前記操作の状態に基づいて、速度パラメーター及び速度間隔を取得するステップと、
前記速度間隔にわたって前記操作の速度測定値を計算するステップと、
パラメーター化された速度測定値を得るために前記速度パラメーターを前記速度測定値に適用するステップであって、前記速度パラメーターは前記速度測定値に適用される重み付け関数を含む、ステップと、
前記パラメーター化された速度測定値及び前記操作のための残りの作業単位の量に基づいて、前記操作のための残り時間を推定するステップと、
前記残り時間に基づいて、前記視覚的なしるしのうちの１つ又は複数を更新するステップと
を含む、コンピューターにより実施される方法。
【手続補正書】
【提出日】平成29年3月13日(2017.3.13)
【手続補正１】
【補正対象書類名】特許請求の範囲
【補正対象項目名】全文
【補正方法】変更
【補正の内容】
【特許請求の範囲】
【請求項１】
システムであって、
ペグと、及び、
予め選択された抵抗を有する抵抗素子を含むオブジェクトと
を含み、
抵抗素子は、オブジェクトがペグから吊されるとき、ペグと電気的に連絡する
システム。
【請求項２】
抵抗素子は、導電性インクを含む
請求項１に記載のシステム。
【請求項３】
抵抗素子の導電性インクは、ペグに関する第１の電気ターミナルからペグに関する第２の電気ターミナルへの電導経路を形成する、請求項２に記載のシステム。
【請求項４】
抵抗素子は、オブジェクトのパッケージの一部である
請求項１〜３のうちのいずれか一に記載のシステム。
【請求項５】
抵抗素子は、オブジェクトのパッケージ上で形成された導電性インクを含む
請求項４に記載のシステム。
【請求項６】
ペグは、ベースのディスプレイユニットに取り外し自在に付属する
請求項１〜５のうちのいずれか一に記載のシステム。
【請求項７】
ベースのディスプレイユニットは、ペグボードを含む
請求項６に記載のシステム。
【請求項８】
ペグは、ベースのディスプレイユニットに電気的に結合する
請求項６又は７に記載のシステム。
【請求項９】
ペグに通信自在に結合する電子デバイスを含む
請求項１〜８のうちのいずれか一に記載のシステム。
【請求項１０】
電子デバイスは、コントローラを含む
請求項９に記載のシステム。
【請求項１１】
コントローラは、少なくとも、ペグへ、及び／又は、ペグから、流れる電流を制御するように構成されている
請求項１０に記載のシステム。
【請求項１２】
ペグを介して流れる電流の値により、ペグと接触し且つ電気連絡するオブジェクトのアイデンティティを判定するステップを含み、
オブジェクトは、予め選択された抵抗を伴う抵抗素子を含む
方法。
【請求項１３】
前記判定するステップは、ペグを介して流れる電流の変化に基づいて行われる
請求項１２に記載の方法。
【請求項１４】
抵抗素子は、導電性インクを含む
請求項１２又は１３に記載の方法。
【請求項１５】
抵抗素子の導電性インクは、ペグに関する第１の電気ターミナルからペグに関する第２の電気ターミナルへの電導経路を形成する、請求項１４に記載の方法。
【請求項１６】
抵抗素子は、オブジェクトのパッケージの一部である
請求項１２〜１５のうちのいずれか一に記載の方法。
【請求項１７】
抵抗素子は、オブジェクトのパッケージ上で形成された導電性インクを含む
請求項１６に記載の方法。
【請求項１８】
ペグは、製品が配置される棚を含む
請求項１２〜１７のうちのいずれか一に記載の方法。
【請求項１９】
ペグは、ベースのディスプレイユニットに取り外し自在に付属する
請求項１２〜１８のうちのいずれか一に記載の方法。
【請求項２０】
ベースのディスプレイユニットは、ペグボードを含む
請求項１９に記載の方法。
【請求項２１】
ペグは、ベースのディスプレイユニットに電気的に結合する
請求項１９又は２０に記載の方法。
【請求項２２】
前記判定するステップは、ペグに通信自在に結合する電子デバイスを用いて行われる
請求項１２〜２１のうちのいずれか一に記載の方法。
【請求項２３】
電子デバイスは、コントローラを含む
請求項２２に記載の方法。
【請求項２４】
コントローラは、少なくとも、ペグへ、及び／又は、ペグから、流れる電流を制御する
請求項２３に記載の方法。
【請求項２５】
ペグと接触し且つ電気連絡するオブジェクトのアイデンティティは、オブジェクト及び少なくとも一つの他のオブジェクトを介して流れる電流の値を検出することにより判定される
請求項１２〜２４のうちのいずれか一に記載の方法。
【請求項２６】
在庫モニタリングシステムであって、
第１のセットの電導性トレースを含む第１のレイヤと、
第２のセットの電導性トレースを含む第２のレイヤ
を含み、
第２のレイヤは第１のレイヤを覆って配置され、第２のセットの電導性トレースは第１のセットの電導性トレースをオーバラップし、導電性トレースの交差物のマトリクスを生成し、
オブジェクトが第２のレイヤ上に配置されると、前記システムは前記システムに接触するオブジェクトの表面と関連する特徴の形状に少なくとも部分的に基づいて、オブジェクトのアイデンティティを判定するように、
前記システムは構成されている
在庫モニタリングシステム。
【請求項２７】
在庫モニタリングシステムであって、
圧力感知センサアレイを含み、
前記圧力感知センサアレイは、前記圧力感知センサアレイ上にオブジェクトが配置されるとオブジェクトの存在を検出するように構成されており、
オブジェクトが前記圧力感知センサアレイ上に配置されると、前記システムは前記システムに接触するオブジェクトの表面と関連する特徴の形状に少なくとも部分的に基づいて、オブジェクトのアイデンティティを判定するように、
前記システムは構成されており、
前記特徴は、前記システムと接触する前記オブジェクトの全体表面を占有しない
在庫モニタリングシステム。
【請求項２８】
一つ若しくはそれ以上のオブジェクトをディスプレイするための製造品において、
センサを含むディスプレイ構造体であって、センサはディスプレイ構造体上に配置されたオブジェクトの少なくとも一つの特性を識別することができ、更にセンサは、ディスプレイ構造体上に配置されたオブジェクトに応じて信号を生成するように構成されており、センサに結合する電子デバイスが、前記信号に少なくとも部分的に基づいてディスプレイ構造体上に存在する前記オブジェクトのアイデンティティ及び量を判定することができる、ディスプレイ構造体と、
ディスプレイ構造体上に存在する前記オブジェクトのアイデンティティ及び量に関する情報を視覚的に示す視覚インジケータと
を含み、
センサは、ディスプレイ構造体の表面に組み込まれており、オブジェクトに関する、抵抗、電気容量、ＲＣ値、ウエイト、ウエイトの分布、ＱＲコード（登録商標）、及びバーコードのうちの、少なくとも一つを識別することができる、
製造品。
【手続補正書】
【提出日】平成29年2月24日(2017.2.24)
【手続補正１】
【補正対象書類名】特許請求の範囲
【補正対象項目名】全文
【補正方法】変更
【補正の内容】
【特許請求の範囲】
【請求項１】
熱交換ユニット内の熱交換部材として使用するための熱交換ラミネートであって、
実質的に平面的に延びる基層を有し、前記基層は両面を導電性の接触層で被覆され、
前記導電性の接触層は、高分子ポリエチレン及びカーボンブラックを有する、
熱交換ラミネート。
【請求項２】
前記カーボンブラックは、前記接触層の総重量に基づいて少なくとも３重量％の量で、より好ましくは前記接触層の総重量に基づいて少なくとも４重量％の量で提供され、
前記カーボンブラックは、ポリエチレンドメインを囲む、
請求項１に記載の熱交換ラミネート。
【請求項３】
前記ポリエチレンドメインは、最大で５０ミクロンの数平均ドメインサイズを有する、請求項２に記載の熱交換ラミネート。
【請求項４】
前記接触層の前記ポリエチレンドメインは、約６０ミクロン又はより小さな体積平均粒径を有するポリエチレン粉末によって提供されている、請求項２に記載の熱交換ラミネート。
【請求項５】
前記接触層内の前記ポリエチレンドメインは、約３０ミクロン又はより小さな体積平均粒径を有するポリエチレン粉末によって提供されている、
請求項２に記載の熱交換ラミネート。
【請求項６】
前記ポリエチレンは、少なくとも４×１０６ｇ／ｍｏｌ、より好ましくは少なくとも９×１０６ｇ／ｍｏｌの重量平均分子量を有する、請求項１に記載の熱交換ラミネート。
【請求項７】
前記の導電性の非金属接触層は、最大で２００ミクロンの厚さを有する、請求項１に記載の熱交換ラミネート。
【請求項８】
前記基層は金属シートである、請求項１乃至７のいずれか一項に記載の熱交換ラミネート。
【請求項９】
前記金属シートは鉄−ニッケル合金を有する、請求項８に記載の熱交換ラミネート。
【請求項１０】
前記基層は、２×１０−６ｍ／ｍ・Ｋよりも小さな線熱膨張係数を有する、請求項１乃至９のいずれか一項に記載の熱交換ラミネート。
【請求項１１】
請求項１乃至１０のいずれか一項に記載の熱交換ラミネートを使用する熱交換ユニットであって、エネルギーを供与する要素と前記熱交換ラミネートの第一の接触層との間の滑り接触を提供し、エネルギーを受ける要素と前記熱交換ラミネートの第二の接触層との間の滑り接触を提供するように構成されている、熱交換ユニット。
【請求項１２】
当該熱交換ユニットは対向流熱交換ユニットである、請求項１１に記載の熱交換ユニット。
【請求項１３】
当該熱交換ユニットは、印刷機構からの印刷媒体を冷却し、印刷機構に向かう印刷媒体を加熱するために印刷システム内に設けられ、
前記印刷媒体のそれぞれは、前記熱交換ラミネートの前記第一の接触層及び前記第二の接触層のうちの一つと動きながら接触する、
請求項１１に記載の熱交換ユニット。
【請求項１４】
熱交換ユニットであって、
熱交換領域、
第一の印刷媒体運搬経路であり、動作中に、第一の印刷媒体を印刷媒体供給部から前記熱交換領域を通して印刷機構に運搬するように構成された、第一の印刷媒体運搬経路、及び
第二の印刷媒体運搬経路であり、動作中に、第二の印刷媒体を前記印刷機構から前記熱交換領域を通して運搬するように構成された、第二の印刷媒体運搬経路、
を有し、
当該熱交換ユニットは固定熱交換部材を更に有し、前記固定熱交換部材は、前記第一の印刷媒体運搬経路に面する第一の側及び前記第二の印刷媒体運搬経路に面する第二の反対の側を有し、
動作中に、前記第二の印刷媒体は前記第一の印刷媒体に対して高い温度であり、
前記第一の印刷媒体及び前記第二の印刷媒体は、前記熱交換領域内で熱交換接触をもち、
前記固定熱交換部材は、請求項１乃至１０のいずれか一項に記載の熱交換ラミネートである、
熱交換ユニット。
【請求項１５】
印刷システムであって、
印刷媒体供給部、
印刷媒体にマーキング材料を塗布するための印刷機構、及び
請求項１４に記載の熱交換ユニット、
を有する、印刷システム。
【手続補正書】
【提出日】平成29年2月23日(2017.2.23)
【手続補正１】
【補正対象書類名】特許請求の範囲
【補正対象項目名】全文
【補正方法】変更
【補正の内容】
【特許請求の範囲】
【請求項１】
デバイスインタラクションのための方法であって、
トリガリングイベントを検出するステップと、
前記検出されたトリガリングイベントに基づいて、視線検出をアクティブ化するステップと、
前記アクティブ化された視線検出を用いて視線が検出されるかどうかを光検出センサからの情報に基づいて決定するステップと、
視線が検出されたとき、デバイスのディスプレイをアクティブ化するステップと、
視線が検出されないとき、所定の時間量後、前記視線検出を非アクティブ化するステップと
を含む、方法。
【請求項２】
トリガリングイベントを検出するステップは、デバイスアラート、ユーザの近さ、前記デバイスの動作のうちの少なくとも1つを検出するステップを含む、請求項1に記載の方法。
【請求項３】
デバイスアラートを検出する前記ステップは、受信したメッセージおよびカレンダアラートのうちの少なくとも1つを検出するステップを含む、請求項2に記載の方法。
【請求項４】
ユーザの近さを検出するステップは、超音波センサ、電界センサ、周囲光センサ、および赤外線センサのうちの少なくとも1つを使用して、前記ユーザの近さを検出するステップを含む、請求項2に記載の方法。
【請求項５】
前記デバイスの動作を検出するステップは、前記デバイスの加速度を検出するステップを含む、請求項2に記載の方法。
【請求項６】
前記デバイスのディスプレイをアクティブ化するステップは、前記デバイスの前記ディスプレイをアクティブ化するステップ、ならびにキーロックおよびセキュリティチャレンジのうちの少なくとも1つを回避するステップを含む、請求項1に記載の方法。
【請求項７】
視線が検出されるかどうかを決定するステップは、ユーザの顔と、検出された顔の眼球方向、前記検出された顔の眼球および口の1つまたは複数の隅部、ならびに前記検出された顔における耳のうちの少なくとも1つとを検出するステップを含み、かつ、
視線が検出されるかどうかを決定するステップは、前記検出された顔において顔面認識を行うステップをさらに含み、前記ディスプレイは、前記検出された顔が前記デバイスの承認済みユーザとして認識されるとき、アクティブ化される、請求項1に記載の方法。
【請求項８】
前記視線が検出され、前記ディスプレイがアクティブ化され、前記方法は、前記視線がもはや検出されなくなるまで、前記ディスプレイをアクティブ状態に維持するステップをさらに含む、請求項1に記載の方法。
【請求項９】
視線が検出されるかどうかを決定するステップは、検出された顔における顔面認識を行うステップをさらに含み、前記検出された顔が前記デバイスの承認済みユーザとして認識されるとき、セキュリティチャレンジは回避される、請求項1に記載の方法。
【請求項１０】
デバイスにコンテンツを表示するための方法であって、
前記コンテンツが前記デバイスによる表示に利用できることを決定するステップと、
コンテンツが表示に利用できると決定されたとき、前記デバイスのディスプレイコンポーネントをアクティブ化し、前記デバイスの光検出センサをアクティブ化するステップと、
視線が検出されるかどうかを前記光検出センサと通信している、前記デバイスの1つまたは複数のプロセッサによって決定するステップと、
視線が検出されたとき、前記コンテンツを表示し、前記視線が検出される限り、前記ディスプレイコンポーネントをアクティブの状態に保つステップと、
視線が検出されないとき、前記光検出センサおよび前記ディスプレイコンポーネントを非アクティブ化するステップと
を含む、方法。
【請求項１１】
前記光検出センサが視線を検出したとき、キーロックおよびセキュリティチャレンジのうちの少なくとも1つを回避するステップをさらに含む、請求項10に記載の方法。
【請求項１２】
視線が検出されるかどうかを決定するステップは、
前記光検出センサの視野において顔を検出するステップと、
検出された顔が前記ディスプレイコンポーネントに視線を向けているかどうかを決定するステップと
を含む、請求項10に記載の方法。
【請求項１３】
前記検出された顔が前記ディスプレイコンポーネントに視線を向けているかどうかを決定するステップは、前記検出された顔が承認済みユーザの顔に一致するかどうかを決定するステップをさらに含み、
前記方法は、前記検出された顔が前記承認済みユーザの顔に一致しているとき、セキュリティチャレンジを回避するステップをさらに含む、
請求項12に記載の方法。
【請求項１４】
デバイスインタラクションのためのシステムであって、
トリガリングイベントを検出するための手段と、
視線を検出するための手段であって、前記トリガリングイベントが検出されたときに、アクティブ化される、手段と、
前記視線を検出するための前記手段に基づいて視線が検出されるかどうかを決定するための手段と、
前記視線が検出されたとき、デバイスのディスプレイをアクティブ化するための手段と、
前記視線が検出されない場合、所定の時間量後、前記視線を検出するための前記手段を非アクティブ化するための手段と
を備えるシステム。
【請求項１５】
デバイスの1つまたは複数のプロセッサによって実行されたとき、前記1つまたは複数のプロセッサに請求項１〜１３のいずれか一項に記載の方法を行わせる命令を含むコンピュータ可読記憶媒体。
【手続補正書】
【提出日】平成29年2月23日(2017.2.23)
【手続補正１】
【補正対象書類名】特許請求の範囲
【補正対象項目名】全文
【補正方法】変更
【補正の内容】
【特許請求の範囲】
【請求項１】
頭部装着式ディスプレイ(HMD)に対して画像を表示するための方法であって、
アプリケーションから前記画像に関する1つまたは複数のユーザインターフェース(UI)要素を生成するステップと、
UI要素がユーザのフォーカス注目を必要とするかどうかに基づいて、前記UI要素を非永続性要素としてまたは永続性要素としてタグ付けするステップであって、前記タグ付けするステップは、前記UI要素のクラスまたはタイプに基づいて実行される、ステップと、
前記UI要素が非永続性要素としてタグ付けされたかまたは永続性要素としてタグ付けされたかに基づいて、前記UI要素をステレオ画像としてまたは単眼画像としてレンダリングするステップと、
前記UI要素を前記永続性要素から前記非永続性要素におよびこの逆方向に変更するように前記UI要素を再タグ付けするステップと、前記再タグ付けするステップに基づいて前記UI要素をレンダリングするステップと
を含む、方法。
【請求項２】
UI要素を非永続性要素としてまたは永続性要素としてタグ付けする前記ステップは、前記UI要素がユーザのフォーカス注目を必要とする場合には前記UI要素を非永続性要素としてタグ付けするステップ、またはUI要素を非永続性要素としてまたは永続性要素としてタグ付けする前記ステップは、前記UI要素がユーザのフォーカス注目を必要とする場合には前記UI要素を永続性要素としてタグ付けするステップを含む、請求項1に記載の方法。
【請求項３】
前記UI要素をステレオ画像としてまたは単眼画像としてレンダリングする前記ステップは、前記UI要素が非永続性要素としてタグ付けされている場合には前記UI要素をステレオ画像としてレンダリングするステップを含み、前記UI要素をステレオ画像としてレンダリングする前記ステップは、ステレオ分離によって分離された前記UI要素の2つの画像を生成するステップを含む、請求項1に記載の方法。
【請求項４】
前記UI要素をステレオ画像としてまたは単眼画像としてレンダリングする前記ステップは、前記要素が永続性要素としてタグ付けされている場合には前記UI要素を単眼画像としてレンダリングするステップを含む、請求項1に記載の方法。
【請求項５】
前記UI要素が永続性要素としてタグ付けされている場合には前記ユーザの一方の眼に対して前記UI要素の前記単眼画像を投影するステップをさらに含む、請求項1に記載の方法。
【請求項６】
前記HMDを前記ユーザの利き眼向けに構成するステップをさらに含み、前記UI要素の前記単眼画像を投影する前記ステップは、前記単眼画像を前記ユーザの前記利き眼に対して投影するステップを含む、請求項5に記載の方法。
【請求項７】
前記画像の各UI要素に対して、前記タグ付けするステップ、前記レンダリングするステップおよび前記投影するステップを繰り返すステップをさらに含む、請求項5に記載の方法。
【請求項８】
少なくとも1つの単眼画像と少なくとも一対のステレオ画像とを前記画像内に同時に投影するステップをさらに含む、請求項7に記載の方法。
【請求項９】
前記UI要素が非永続性要素としてタグ付けされている場合には前記ユーザの両眼に対して前記UI要素の前記ステレオ画像を投影するステップをさらに含む、請求項1に記載の方法。
【請求項１０】
前記タグ付けするステップは、前記UI要素を生成する前記アプリケーションの開発時間中にまたは前記ユーザが前記UI要素を生成する前記アプリケーションを稼働させているときに行われる、請求項1に記載の方法。
【請求項１１】
前記UI要素が前記HMDのステータス情報を備える場合には、前記タグ付けするステップは前記UI要素を永続性要素としてタグ付けするステップを含む、請求項1に記載の方法。
【請求項１２】
前記UI要素が前記ユーザに関するインタラクティブ要素を備える場合には、前記タグ付けするステップは前記UI要素を非永続性要素としてタグ付けするステップを含む、請求項1に記載の方法。
【請求項１３】
1つまたは複数のプロセッサによって実行させたときに前記1つまたは複数のプロセッサに請求項1から12のいずれか一項に記載の方法を実行させるように適合された複数のマシン可読命令を備える、コンピュータ可読記憶媒体。
【請求項１４】
頭部装着式ディスプレイ(HMD)に対して画像を表示するためのシステムであって、
前記画像に関する1つまたは複数のユーザインターフェース(UI)要素を生成するための手段と、
タグが変更されたどうかを検出するためにUI要素と関連付けされた前記タグを検査するための手段と、
前記UI要素が変更されたタグに基づいて非永続性要素としてタグ付けされたかまたは永続性要素としてタグ付けされたかに基づいて、前記UI要素をステレオ画像としてまたは単眼画像としてレンダリングするための手段と、
前記ステレオ画像または前記単眼画像を前記変更されたタグに基づいて投影するための手段と
を備える、システム。
【請求項１５】
前記UI要素をステレオ画像としてまたは単眼画像としてレンダリングするための前記手段は、前記UI要素が非永続性要素としてタグ付けされている場合には前記UI要素をステレオ画像としてレンダリングするための手段を備える、請求項14に記載のシステム。
【手続補正書】
【提出日】平成29年3月1日(2017.3.1)
【手続補正１】
【補正対象書類名】特許請求の範囲
【補正対象項目名】全文
【補正方法】変更
【補正の内容】
【特許請求の範囲】
【請求項１】
ユーザインターフェース装置における表示のための、少なくとも一つのデータ処理装置により実行されるグラフィカルユーザーインターフェスを有する点滴管理プラットフォームにより、複数の容器のうちそれぞれの容器について、複数の患者のうち１人についての識別情報、点滴モジュールの識別情報、および対応する前記患者への点滴のための前記容器内の流体を特徴付ける属性を指定することと、
前記点滴管理プラットフォームにより、複数の患者のうちそれぞれの患者への流体投与を特徴付けるデータを複数の点滴モジュールから受信することであって、前記データは、対応する前記点滴モジュールの前記識別情報を含み、前記複数の点滴モジュールは、前記点滴管理プラットフォームから遠隔位置にあり、
前記点滴管理プラットフォームが、前記容器の最大流体容量は名目量プラス過充填許可量に等しいと規定する規則セットを各容器に対して用いて、対応する前記患者へ点滴される前記流体の量と、前記容器中に残っている流体の量とを決定することと、
前記点滴された流体の決定された量と、各容器の前記残っている流体の決定された量とを特徴付けるデータを提供することと、
を含む、コンピュータによって実行される方法。
【請求項２】
前記データを提供することは、前記データをグラフィカルユーザインターフェースにおいて表示すること、前記データをロードすること、前記データを保存すること、および、前記データをリモート計算システムへ送信すること、のうち少なくとも１つ含む、請求項１に記載の方法。
【請求項３】
前記指定すること、前記受信すること、前記決定すること、および、前記提供することのうち少なくとも１つは、少なくとも１つの計算システムの一部を形成する少なくとも１つのデータプロセッサによって実行される、請求項１または２に記載の方法。
【請求項４】
前記決定することは、各容器の最大容量を決定することについて前記規則セットを用いること、を含む、請求項１〜３のいずれかに記載の方法。
【請求項５】
受信された前記データを用いて、各容器について累積点滴量を決定すること、をさらに含み、
対応する前記容器内に残留している流体の前記決定された量は、対応する決定された累積点滴量に基づくものである、請求項４に記載の方法。
【請求項６】
前記累積点滴量は、少なくとも１つの区分それぞれについての点滴量の総和に等しく、各区分は、対応する前記点滴モジュールによってプログラムされた対応する前記容器の一部を含む、請求項５に記載の方法。
【請求項７】
各区分は、対応する前記患者への送達のために処方された前記流体の量を指定する異なる順序識別情報を有する、請求項６に記載の方法。
【請求項８】
前記受信されたデータは、各区分について開始時間を示すメッセージを含む、請求項７に記載の方法。
【請求項９】
各区分の前記開始時間に基づいて、対応する前記容器の最大容量を既に超えているかを決定することと、
前記最大容量を超えている場合、対応する前記容器が完了しているものとして特徴付けることと、
前記点滴管理プラットフォームによって、完了している前記容器と関連付けられた前記患者の前記識別情報と、完了している前記容器において前記流体を点滴した前記点滴モジュールに関する前記識別情報と、完了している前記容器内の前記流体を特徴付ける属性とを指定する新規の容器を生成することと、をさらに含む、請求項８に記載の方法。
【請求項１０】
提供される前記データは、前記容器が空になるであろう推定時間を含む、請求項１〜９のいずれかに記載の方法。
【請求項１１】
命令が少なくとも１つの計算システムの少なくとも１つのデータプロセッサによって実行されると、請求項１〜１０のいずれかに記載される方法が行われる前記命令を保存する、非一時的なコンピュータプログラム製品。
【手続補正書】
【提出日】平成29年3月6日(2017.3.6)
【手続補正１】
【補正対象書類名】明細書
【補正対象項目名】００５１
【補正方法】変更
【補正の内容】
【００５１】
本発明によるミラーの熱作動用の装置は、照明装置内のミラー及びマイクロリソグラフィー投影露光装置の投射レンズ内のミラーに、共に関連して用いることができる。図６に、応用のほんの一例として、米国特許出願公開第２００８／０１７０３１０号明細書（特許文献７）に開示されている投射レンズ６００の光線の経路を示す（図２参照）。投射レンズ６００は、ＥＵＶにおける動作用に設計され、６つのミラーＭ１〜Ｍ６を有する。この場合、上述した実施形態の１つによれば、例えば、それぞれが瞳孔に近いミラーＭ２及びＭ６、さもなければこれらのミラーの他方を、熱作動可能なように構成することができる。
【誤訳訂正書】
【提出日】平成29年3月3日(2017.3.3)
【誤訳訂正１】
【訂正対象書類名】明細書
【訂正対象項目名】００８１
【訂正方法】変更
【訂正の内容】
【００８１】
投影露光中に、レチクル７と、ＥＵＶ放射線ビーム１６に対して感光性を有するコーティングを担持するウェーハ１３とが与えられる。露光の前に、照明設定、すなわち、例えば、二重極設定又は環状設定、又は他に異なる設定、例えば、従来照明設定又は多重極照明設定が設定される。その後に、投影露光装置１を用いてレチクル７の少なくとも１つの区画がウェーハ１３上に投影される。最後に、ウェーハ１３上でＥＵＶ放射線ビーム１６に露光された感光層が現像される。このようにして、微細又はナノ構造化構成要素、例えば、半導体構成要素、例えば、メモリチップが生成される。
【手続補正書】
【提出日】平成29年3月14日(2017.3.14)
【手続補正１】
【補正対象書類名】特許請求の範囲
【補正対象項目名】全文
【補正方法】変更
【補正の内容】
【特許請求の範囲】
【請求項１】
プロセッサにおいて、コール分岐命令およびリターン分岐命令を実行するための方法であって、
前記プロセッサが前記コール分岐命令と異なるリンクレジスタ操作命令をデコードすることに応じて、カウンタを初期値に設定するステップと、
前記プロセッサがコール分岐命令をデコードすることに応じて、第1の定数だけ前記カウンタをインクリメントするステップと、
前記プロセッサが前記コール分岐命令をデコードすることに応じて、プログラム順で次の命令のアドレスをリンクレジスタスタックにプッシュするステップと、
前記プロセッサがリターン分岐命令をデコードすることに応じて、前記カウンタが前記初期値に等しくない値を有する場合に、第2の定数だけ前記カウンタをインクリメントするステップと、
前記プロセッサが前記リターン分岐命令をデコードすることに応じて、前記カウンタが前記初期値に等しくない値を有する場合に、前記リターン分岐命令のためのターゲットアドレスを前記リンクレジスタスタックからポップするステップであって、前記カウンタの前記値が前記初期値に等しくないとき、前記リンクレジスタスタックからポップされた前記ターゲットアドレスは前記リターン分岐命令の正確なターゲットアドレスである、ステップと、
前記ターゲットアドレスの正当性をチェックすることなく前記リターン分岐命令の実行を完了し、前記リターン分岐命令を回収するステップと
を含む、方法。
【請求項２】
前記初期値がゼロであり、前記第1の定数が1に等しく、前記第2の定数がマイナス1に等しい、請求項1に記載の方法。
【請求項３】
リンクレジスタと、
リンクレジスタスタックと、
分岐カウンタと、
プロセッサであって、
前記リンクレジスタに書き込むコール分岐命令と異なる命令をデコードすることに応じて、前記分岐カウンタを初期値に設定し、
コール分岐命令をデコードすることに応じて、第1の定数だけ前記分岐カウンタをインクリメントし、
前記プロセッサが前記コール分岐命令をデコードすることに応じて、プログラム順で次の命令のアドレスを前記リンクレジスタスタックにプッシュし、
リターン分岐命令をデコードすることに応じて、前記分岐カウンタが前記初期値に等しくない値を有する場合に、第2の定数だけ前記分岐カウンタをインクリメントし、
前記プロセッサが前記リターン分岐命令をデコードすることに応じて、前記分岐カウンタが前記初期値に等しくない値を有する場合に、前記リターン分岐命令のためのターゲットアドレスを前記リンクレジスタスタックからポップし、
前記ターゲットアドレスの正当性をチェックすることなく前記リターン分岐命令の実行を完了し、前記リターン分岐命令を回収する
ように構成されたプロセッサであって、前記分岐カウンタの前記値が前記初期値に等しくないとき、前記リンクレジスタスタックからポップされた前記ターゲットアドレスは前記リターン分岐命令の正確なターゲットアドレスである、プロセッサと、
を備える、装置。
【請求項４】
前記初期値がゼロであり、前記第1の定数が1に等しく、前記第2の定数がマイナス1に等しい、請求項3に記載の装置。
【請求項５】
前記装置が、セルラー電話と、基地局とからなる集合から選択される、請求項3に記載の装置。